(57)【特許請求の範囲】
【請求項１】
本体部と、
前記本体部の下方に接続された複数のフレキシブルレッグと、
前記本体部の上方に接続された相互接続部と、
前記相互接続部に取り外し可能に設けられたクリップとを備えた三脚装置において、
前記フレキシブルレッグは、ソケット係合端部表層と内部ソケット受けキャビティとを備えたボール及びソケットジョイント接続具を一連に複数連結することでフレキシブルレッグとして構成され、前記ボール及びソケットジョイント接続具のソケット部にはグリップ部が一体に形成されたことを特徴とする三脚装置。
【請求項２】
請求項１において、前記グリップ部は、前記ボール及びソケットジョイント接続具の前記内部ソケット受けキャビティの外部表層に共に設けられた円周リングにより構成されたことを特徴とする三脚装置。
【請求項３】
請求項１において、前記複数のフレキシブルレッグの脚部の末端の接続具が、グリップポッド又は吸着カップを備えて終端処理されたことを特徴とする三脚装置。
【請求項４】
請求項１において、前記複数のフレキシブルレッグの脚部の末端の接続具が、そのソケット受け端部においてグリップ性合成材で充填されたことを特徴とする三脚装置。
【請求項５】
請求項１において、前記複数のフレキシブルレッグは、三本の脚により構成されることを特徴とする三脚装置。
【請求項６】
請求項１において、前記本体部はフレキシブルな接続部を有し、前記フレキシブルな接続部は、ソケット係合端部表層と内部ソケット受けキャビティとにより構成されることを特徴とする三脚装置。
【請求項７】
請求項１において、前記内部ソケットキャビティに停止節を備えて、該停止節はボール及びソケットジョイント接続具の停止機構となることを特徴とする三脚装置。
【請求項８】
本体部と、前記本体部に接続された複数のフレキシブルレッグと、前記本体部に接続された相互接続部とを備えた三脚装置において、
前記複数のフレキシブルレッグは、ソケット係合端部表層と内部ソケット受けキャビティとを備えたボール及びソケットジョイント接続具を一連に複数連結することでフレキシブルレッグとして構成されると共に、前記フレキシブルレッグは第１の端部と第２の端部を備えて、前記フレキシブルレッグの第１の端部が前記本体部に接続され、
前記ボール及びソケットジョイント接続具は、第１の端部と第２の端部を備えて前記第１の端部から前記第２の端部まで伸びた長手方向軸とを有する接続具本体と、前記第１の端部において外側表層となるソケット係合端部表層と、前記第２の端部における内部ソケット受けキャビティとを備えると共に、前記ボール及びソケットジョイント接続具のソケット部にはグリップ部が一体に形成され、
前記本体部は、複数の内部ソケット受けキャビティを備え、該複数の内部ソケット受けキャビティは、前記フレキシブルレッグの可動範囲が最大となるよう、垂直方向に対してすそ広がりの方向に備えられて、前記複数のフレキシブルレッグの第１の端部を斜め方向から受けることを特徴とする三脚装置。
【請求項９】
本体部と、前記本体部へ接続される複数のフレキシブルレッグと、前記本体部へ接続された相互接続部とを備えた三脚装置において、
前記フレキシブルレッグは、ソケット係合端部表層と内部ソケット受けキャビティとを備えたボール及びソケットジョイント接続具を一連に複数連結することでフレキシブルレッグとして構成されると共に、前記ボール及びソケットジョイント接続具のソケット部にはグリップ部が一体に形成され、前記フレキシブルレッグは第１の端部と第２の端部を有し、前記フレキシブルレッグの第１の端部が前記本体部に接続され、
前記相互接続部は、内部ソケット受けキャビティを有する第１の端部と、第２の端部を有することを特徴とする三脚装置。
【請求項１０】
請求項９において、前記相互接続部の前記第２の端部に、着脱可能なクリップの受け部を設けると共に、前記相互接続部にさらにばね搭載レバーを設け、
前記相互接続部はさらに着脱可能なクリップを設けると共に該クリップを捕らえるように調整されたタブを備えて、前記クリップの受け部はさらに平坦面を有して前記タブは該平坦面に突出し、前記タブを受けるように調整された前記クリップはそのボトム表面にスロットを有し、
前記ばね搭載レバーは、前記相互接続部のピボットの周囲で回転することを特徴とする三脚装置。
【請求項１１】
本体部と複数のフレキシブルレッグとを備えた三脚装置において、
前記本体部には、複数の内部ソケット受けキャビティがそれぞれ相互にすそ広がりの角度をなすように前記本体部の下方表面に斜め下方向に向けて形成されると共に、ソケット係合端部表面が前記本体部の上方表面に形成され、
前記複数のフレキシブルレッグは、ソケット係合端部表層と内部ソケット受けキャビティとを備えたボール及びソケットジョイント接続具を複数連結することで一連のフレキシブルレッグとして構成されると共に、前記ボール及びソケットジョイント接続具のソケット部にはグリップ部が一体に形成され、前記複数のフレキシブルレッグはそれぞれ第１の端部と第２の端部を有し、前記第１の端部が、前記本体部に接続されることを特徴とする三脚装置。
【請求項１２】
請求項１０において、前記本体部の上方にさらに相互接続部を備え、該相互接続部は、内部ソケット受けキャビティを有する第１の端部と、着脱可能なクリップの受け部を有する第２の端部とを備えると共に、前記着脱可能なクリップの受け部に着脱可能なクリップを備え、前記クリップは前記受け部に着脱可能に固定されることを特徴とする三脚装置。
【発明の詳細な説明】
【技術分野】
【０００１】
本発明は、相互接続することによってフレキシブル（変形可能）な組立体となる接続具に関するものであり、より具体的には、ボール及びソケットジョイントによる接続具を用いた取付装置に関するものである。
【背景技術】
【０００２】
典型的な三脚は、すそ広がりに開かれた３本の堅い脚を備えて、カメラのような装置類の支持構造を形成する。典型的な三脚の脚部には通常は柔軟性がなく、地面あるいは他の平らな面から離れた支持を提供するのに適応させられたものである。ある三脚においては、脚部の長さについてのいくつかの調節部を有し、三脚が設置された面においての平面の偏りが考慮されるものである。
【発明の開示】
【発明が解決しようとする課題】
【０００３】
このような三脚は、カメラのような装置を支持する方法において制限を受けるものである。そこで、三脚として機能しうると共に、縦材に対して取付けられてグリップマウント（滑り止め把持）による取付として機能しうる取付装置が求められる。
【課題を解決するための手段】
【０００４】
本発明は、相互に接続されたときに、フレキシブルな組立体を形成するボール及びジョイント接続具についての発明である。各接続具は、第１の端部及び第２の端部を伴う本体を有する。外部ソケット係合表層は本体の一方の端部に設けられる。本体のもう一方の端部は、内部キャビティを有する。ひとつの接続具のソケット係合表層は、他の接続具の内部キャビティへ嵌め込まれて、接続具を相互に接続する。
【発明の効果】
【０００５】
ある実施例において、ボール及びソケットジョイント接続具は、前記接続具の外側周囲に余剰に形成された細長い領域を利用して、それにより滑り止めて把持を容易にするものである。前述のボール及びソケットジョイント接続具を利用する他の典型的な実施例において、取付装置は、ボール及びジョイント接続具から構成される脚を用いて支持するものである。
【発明を実施するための最良の形態】
【０００６】
図１は、本発明の実施例による、複数の接続された接続具の側面図を示す。
図２は、本発明の実施例による、複数の接続された接続具の端面図を示す。
図３は、本発明の実施例による、複数の接続された接続具の断面図である。
図４は、本発明の実施例による、接続具の側面図である。
図５は、本発明の実施例による、接続具の断面図である。
図６は、本発明の実施例による、滑り止め部を備えた接続具を示す。
図７は、本発明の実施例による、グリップ部を備えた接続具の側面図である。
図８は、本発明の実施例による、グリップ部を備えた接続具の断面図である。
図９は、本発明の実施例による、三脚装置の説明図である。
図１０は、本発明の実施例による三脚装置の本体と相互接続部の説明図である。図１１は、本発明の実施例による三脚装置の本体と相互接続部の断面図である。図１２は、本発明の実施例による三脚装置の説明図である。
図１３は、本発明の実施例による三脚装置の本体と相互接続部の側面図及び断面図である。
図１４は、本発明の実施例による三脚装置の本体と相互接続部の側面図及び断面図である。
図１５は、本発明の実施例による三脚装置の本体と相互接続部の側面図及び断面図である。
【実施例】
【０００７】
図１、図２、図３は、本発明の実施例による、複数のボール及びソケットジョイントによる接続具１０１を示す。接続具１０１は、第１の端部１０２と第２の端部１０３を備えている。ソケット係合端部表層１０４は、第１の端部１０２に設けられる。第１の端部１０２は、実体的にはくぼんだ状態である。
【０００８】
第２の端部１０３には、内部ソケット受けキャビティ１０７を備えた本体１０６がある。内部ソケット受けキャビティ１０７の内側表面１１０は、次の接続具１０１のソケット係合端部表層１０４又は同様のソケット係合端部層を伴う次の構成要素をすっぽりと包んで適合するように調整される。首部１０５は第２の端部１０３から第１の端部１０２を分けるものである。停止節１０８は、一組のボール及びソケットジョイント接続具が角度を超過して、意図せぬ分離が生じる危険性を防ぐための停止機構として機能する。
【０００９】
図４及び図５に示されるように、実施例において、接続具１０１には、基礎軸１１１がある。実施例において、接続具１０１は基礎軸１１１を中心とした対称形とするとよい。実施例において、接続具の第１の端部と第２の端部のそれぞれの末端面は、基礎軸１１１に対して垂直とするとよい。
【００１０】
本発明の実施例において、前記内部ソケット受けキャビティ又は／及びソケット係合端部表層の壁の厚さは、ボール及びソケットジョイント接続具が接続された後に締まりばめが残るように構成される。実施例において、締まりばめは、材料が塑性限界以下でありクリープ限界以上である圧力レベルによって圧迫されるようにして製作される。該材料はその後、締まりばめがクリープ限界点以下となるまで、典型的には用いられる材料の弾性変形圧力範囲の上限より下の範囲で、クリープ変形しうるものである。複数の接続具が相互に接続されて長いチェーンが形成された実施例において、この圧力は、異なる接続具の組間において均等化するものである。また、この圧力の均等化により、さまざまな接続具の組間における摩擦抵抗が均等化するものである。複数の接続された接続具の長いチェーンにおける接続具の組間での摩擦抵抗の均等化により、前記チェーンが曲がる力を受けた際に前記接続具の前記チェーンが円滑な流れで曲がるようになるものである。例えば、４５度の角度へ曲げられた１０ユニットのチェーンにおいては、その曲がりは接続具の組間に十分に広がり渡って分散される。
【００１１】
図６、図７及び図８に示されるように、ある実施例では、接続具１２０はグリップ部１２２を有するものである。該接続具１２０は、第１の端部１２５及び第２の端部１２３を備えている。ソケット係合端部表層１２４は、第１の端部１２５に設けられる。前記第１の端部１２５は実体的にはくぼみをつけられたものである。
【００１２】
第２の端部１２３は、内部ソケット受けキャビティ１３０を伴う本体１２１を備える。該内部ソケット受けキャビティ１３０の内側表面１２９は、次の接続具又は同様のソケット係合端部表層を伴う次の部品に適合するように調整される。首部１２８は、第２の端部１２３から第１の端部１２５を分けるものである。グリップ部１２２は、前記接続具が表面をより容易にとらえるようにする。ある実施例では、グリップ部は接続具本体に共に成形される。ある実施例では、グリップ部はゴム引き合成材により構成される。ある実施例では、グリップ部は、接続具の外側表面に成形された円周リングである。接続具が対象物上に接して設置される又は対象物を包み込むときに、前記グリップ部によってより高い摩擦抵抗が生じる。
【００１３】
本発明のある実施例では、ソケット係合端部表層１０４の外側表面１０９に注油してもよい。ソケット係合端部表層１０４の外側表面１０９への注油により、接続具によるチェーンにおける多種多様な接続間の抵抗がより均一となり得る。ある実施例では、前記内部ソケット受けキャビティ１０７の内側表面１１０に注油してもよい。前記内部ソケット受けキャビティ１０７の内部表面１１０への注油により、抵抗がより均一となり得る。ある実施例においては、ソケット係合端部表層１０４の外側表面１０９と、前記内部ソケット受けキャビティ１０７の内部表面の双方に注油してもよい。ある実施例では、これらの表面を、粘着剤を用いて覆ってもよい。アセチル系材料、デルリン（登録商標）、ナイロンのような結合材を伴うことで、通常は粘着剤として用いられる化合物は、ボール及びソケットジョイント接続具の締まりばめに用いられた際に、潤滑剤として機能しうる。
【００１４】
本発明のある実施例において、前記ソケット係合端部表層１０４の外側表面１０９は、織り込まれてもよい。また、その織り込みが、表面の粗さとなって現れてもよい。前記ソケット係合端部表層１０４の外側表面１０９の織り込みにより、接続具のチェーンにおけるさまざまな接続を通じて、抵抗がより均一となり得る。ある実施例において、内部ソケット受けキャビティ１０７の内側表面１１０は、織り込まれてもよい。また、その織り込みは、表面の粗さとなって現れてもよい。前記内部ソケット受けキャビティ１０７の内部表面１１０の織り込みにより、抵抗がより均一となり得る。ある実施例においては、ソケット係合端部表層１０４の外側表面１０９と、前記内部ソケット受けキャビティ１０７の内側表面１１０の双方に注油してもよい。
【００１５】
図３は、複数のボール及びソケットジョイント接続具の断面図を示す。本発明の実施例において、停止突起１０８は、内部ソケット受けキャビティの中に備えられる。２つの接続具が相互に関連する特定の角度に達した際に、前記ソケット係合端部表層１０４の内側縁部１４０は、停止突起１０８と接触するように調整される。該停止突起１０８と該内側縁部１４０との接触は、相互に関連した２片の接続具の角度超過に関する停止機構として作用する。この停止機構の機能は、２つの接続具における過剰な回転と脱落の危険性を防ぐように作用するものである。
【００１６】
図９は、本発明のある実施例による三脚装置２００を示す。本体部２０１は、３本のフレキシブルレッグ２０２，２０３，２０４の支持する基台となる。該フレキシブルレッグ２０２，２０３，２０４は、一連の相互に連結したボール及びソケットジョイント接続具により構成される。前記フレキシブルレッグは、多様な位置方向に曲げられることが可能であり、また、三脚支持を形成することによって本体部２０１を支持するのに用いられることが可能である。前記フレキシブルレッグは、平坦でない面に適応可能であり、これにより三脚装置はさまざまな状況において機能することが可能となる。ここでは説明のために３本の脚が用いられるが、ある実施例においては、より多くの脚が設けられてもよい。図９に示されるように、本体部２０１自体に一連の相互に連結されたボール及びソケットジョイント接続具を組み込んで設けることで、その取付機能の観点から、より多くの曲順応性を持たせることが可能である。
【００１７】
図７において、フレキシブルレッグは脚部の機能をするものとして示されているが、典型的な三脚装置による固定では適合しないような対象物に対して本発明による三脚装置を固定することを目的とし、該脚部は十分な曲動自在性を備え、該脚部は棒状や他の対象物のような様々なものの周囲を包み込んで用いることが可能である。グリップ部と共に用いることで、前記三脚装置はさまざまな対象物に固定取付されることが可能である。例えば、デジタルカメラの位置固定に用いられる際には、前記脚部は垂直な門の柵を囲むように包み込むことが可能となり、以前は利用不可能であった写真撮影機会においてのカメラの固定取付を利用可能とするものである。
【００１８】
ある実施例において、本体部２０１は、相互接続部２０５に接続される。クリップ２２０は、前記相互接続部２０５に対して着脱可能に固定される。ある実施例において、該クリップ２２０には、取付用ねじ山を設けて、カメラや他の装置に適合するようにしてもよい。
【００１９】
ある実施例においては、フレキシブルレッグ２０２，２０３，２０４は、共に成型されたグリップ部２０８を有する複数の接続具を用いてもよい。該グリップ部２０８は、さまざまな方法による三脚装置の使用を可能にするものであり、柱状物や他の対象物の周囲を脚部が取り囲むことも可能にするものである。ある実施例において、フレキシブルレッグは、グリップポッド２０７によって終端処理されてもよい。図３における断面図に示されるように、該グリップポッド２０７は、前記接続具のキャビティ内に完全に充填又は密着するようにしてもよい。ある実施例においては、それぞれの脚部の末端の接続具には、その第１の端部にソケット係合端部表層があり、その第２の端部に吸着カップが備えられる。該吸着カップにより、三脚装置２００を多様な表面へ確実に取付ることが可能となる。
【００２０】
図９，図１０，図１１においてさらに示された本発明のある実施例において、前記相互接続部２０５は、クリップ２２０を受けるように調整されたものである。該クリップ２２０は、相互接続部２０５の挿入部２２７へ挿入するのに適したレール２２８を有するとよい。該クリップ２２０は、ばね搭載レバー２２２上の爪部２２５によって満たされるように適合した凹部２２６を有するとよい。該クリップは、相互接続部２０５に対して着脱可能に取り付けられ、前記レバー２２２を押すことによって開放されうる。ある実施例において、前記レバー２２２は、前記クリップがスライド挿入されて接する前記相互接続部２０５における挿入方向と同じ側に設けられる。他の実施例においては、前記レバー２２２は、前記クリップ２２０がスライド挿入される前記相互接続部２０５における挿入方向と反対の側に設けられる。
【００２１】
ある実施例において、固定用ねじ２２１は、クリップ２２０に固定されてもよい。ある実施例において、ねじ２２３は、標準的なサイズであってカメラを取り付けるためのねじ山を設けるとよい。ある実施例において、ねじ２２１の頭部２２３は、凹部の成形されたわずかな隆起によって凹部２２４に支持されてもよい。
【００２２】
図１２，図１３，図１４，及び図１５で示される本発明の実施例において、三脚装置５００は、本体部５０１を利用し、該本体部は、三脚装置の脚部を間隔を空けて位置付けて、該脚部を異なった形状として利用する。本体部ソケット５０２の間隔を空けることにより、三脚の脚部の有効な利用を可能となり、三脚の脚部を取付アームとして用いる際により有効な使用が可能となる。ある実施例において、前記本体ソケット５０２は本体部５０１の中心の周囲に等間隔に配置される。前記本体ソケットは、地面に対する角度はすそ広がりである（典型的使用法）。ある実施例では、該角度は４５度に広げられた角度である。本体ソケットをすそ広がりにしたことにより、三脚装置の脚部にとっての潜在的な巻き包み角度は異なる様々な範囲において可能となる。
【００２３】
本体ソケットをすそ広がりにしたことによって、本発明による三脚装置の脚部は典型的な三脚装置のように利用することも可能である。脚部を形成する前記本体ソケットと前記接続具の動作範囲は、脚部の垂直的な位置取りをもさらに可能にしたものである。このように、前記本体部５０１は、三脚としての通常の機能性を保持するものである。一方で、すそ広がりにしたことにより、垂直な棒状物のようなものに巻きつけてくるんだ場合のように脚部を滑り止め把持アームとして用いた場合に、該脚部をより大きく曲げることを可能としたものである。このように、本体部５０１は、この装置によって楽しむことのできる配置位置の範囲と使用例の種類を増加させるものである。
【００２４】
上記の記述から明白なように、ここに示された説明からさまざまな実施が構成され得る。さらに、この技術に関する技術者においては、追加的な利点や改善が容易に生じ得る。従って、本願発明の広義の側面においては、描写及び記述された具体的な説明及び実例に制限されるものではない。結果的に、出願人による概括的発明の概念又は範囲領域から逸脱することなく、このような具体的な説明からの逸脱が為されうる。
【図面の簡単な説明】
【００２５】
【図１】実施例による複数の接続された接続具の側面図
【図２】実施例による複数の接続された接続具の端面図
【図３】実施例による複数の接続された接続具の断面図
【図４】実施例による接続具の側面図
【図５】実施例による接続具の断面図
【図６】実施例によるグリップ部を備えた接続具
【図７】実施例によるグリップ部を備えた接続具の側面図
【図８】実施例によるグリップ部を備えた接続具の断面図
【図９】実施例による三脚装置の説明図
【図１０】実施例による三脚装置の本体と相互接続部の説明図
【図１１】実施例による三脚装置の本体と相互接続部の断面図
【図１２】実施例による三脚装置の説明図
【図１３】実施例による三脚装置の本体と相互接続部の側面図及び断面図
【図１４】実施例による三脚装置の本体と相互接続部の側面図及び断面図
【図１５】実施例による三脚装置の本体と相互接続部の側面図及び断面図
【符号の説明】
【００２６】
１０１，１２０  接続具
１０２，１２５  第１の端部
１０３，１２３  第２の端部
１０４  ソケット係合端部表層
１０５  首部
１０６  本体
１０７  内部ソケット受けキャビティ
１０８  停止突起
１０９  外側表面
１１０  内側表面
１１１  初期軸
１２２  滑り止め把持部
１４０  内側縁部
２００  三脚装置
２０１  本体部
２０２，２０３，２０４  フレキシブルレッグ
２０５  相互接続部
２０７  滑り止め把持閉止部
２２０  クリップ
２２１  取付ねじ
２２２  レバー
２２３  ヘッド
２２４，２２６  凹部
２２５  爪部
２２７  挿入部
２２８  レール
【図１】
0005031769.tif 000002
【図２】
0005031769.tif 000003
【図３】
0005031769.tif 000004
【図４】
0005031769.tif 000005
【図５】
0005031769.tif 000006
【図６】
0005031769.tif 000007
【図７】
0005031769.tif 000008
【図８】
0005031769.tif 000009
【図９】
0005031769.tif 000010
【図１０】
0005031769.tif 000011
【図１１】
0005031769.tif 000012
【図１２】
0005031769.tif 000013
【図１３】
0005031769.tif 000014
【図１４】
0005031769.tif 000015
【図１５】
0005031769.tif 000016